(57)【要約】【課題】  ユーザーが意図していない状況で電池の充電が自動的に再開される場合の表示制御または警告制御を改善する。【解決手段】  撮像装置（１００）は、ＵＳＢコネクタを介して受け取った電力で電池を充電する充電手段と、電池の充電制御開始時に充電中であることを示す表示を行う表示手段とを有し、所定の条件で充電停止した場合は、充電中表示を解除しないようにする。【選択図】  図１
2019193177.tif 000002
【特許請求の範囲】
【請求項１】
ＵＳＢコネクタを介して受け取った電力で前記電池を充電する充電手段と、
前記電池の充電制御開始時に充電中であることを示す表示を行う表示手段と、
所定の条件で充電停止した場合は、充電中表示を解除しないようにするための制御を行う制御手段と
を有することを特徴とする撮像装置。
【請求項２】
撮像装置に接続可能な電子機器であって、
ＵＳＢコネクタを介して受け取った電力で複数の電池の一つを充電する充電手段と、
前記複数の電池の一つの充電制御開始時に充電中であることを示す表示を行う表示部と、
所定の条件で充電停止した場合は、充電中表示を解除しないようにするための制御を行う制御手段と
を有することを特徴とする電子機器。
【発明の詳細な説明】
【技術分野】
【０００１】
本発明は、電池を充電することができる撮像装置などに関するものである。
【背景技術】
【０００２】
特許文献１には、ユーザーの各種操作によって充電制御を一時中断した場合、使用者に対して充電の再開を促すための報知を行う方法が記載されている。
【先行技術文献】
【特許文献】
【０００３】
【特許文献１】特開２０１１−２５０６５２号公報
【発明の概要】
【発明が解決しようとする課題】
【０００４】
しかしながら、特許文献１に記載されている方法は、充電の中断をユーザーに報知し、ユーザーの再充電へのアクションを促すための技術であるため、ユーザーが意図した再充電開始に対しては有効であるが、電子機器内部で状況判定し、自動的に再開する場合に対しては効果が得られない。
【０００５】
そこで、本発明は、ユーザーが意図していない状況で電池の充電が自動的に再開される場合の表示制御または警告制御を改善することを目的とする。
【課題を解決するための手段】
【０００６】
本発明に係る撮像装置は、ＵＳＢコネクタを介して受け取った電力で前記電池を充電する充電手段と、前記電池の充電制御開始時に充電中であることを示す表示を行う表示手段と、所定の条件で充電停止した場合は、充電中表示を解除しないようにするための制御を行う制御手段とを有する。
【０００７】
本発明に係る電子機器は、撮像装置に接続可能な電子機器であって、ＵＳＢコネクタを介して受け取った電力で複数の電池の一つを充電する充電手段と、前記複数の電池の一つの充電制御開始時に充電中であることを示す表示を行う表示部と、所定の条件で充電停止した場合は、充電中表示を解除しないようにするための制御を行う制御手段とを有する。
【発明の効果】
【０００８】
本発明によれば、ユーザーが意図していない状況で電池の充電が自動的に再開される場合の表示制御または警告制御を改善することができる。
【図面の簡単な説明】
【０００９】
【図１】実施形態１における撮像装置１００および充電装置１４０の構成例を説明するためのブロック図である。
【図２】電池１０７の構成例を説明するためのブロック図である。
【図３】実施形態１における撮像装置１００の動作例を説明するためのフローチャートである。
【図４】実施形態２におけるバッテリーグリップ２００および充電装置１４０の構成例を説明するためのブロック図である。
【図５】実施形態２におけるバッテリーグリップ２００の動作例を説明するためのフローチャートである。
【発明を実施するための形態】
【００１０】
以下、図面を参照して実施形態を説明する。ただし、本発明は以下の実施形態に限定されるものではない。
【００１１】
［実施形態１］
以下、図１を参照して、実施形態１における撮像装置１００および充電装置１４０の構成例を説明する。なお、実施形態１では、電池１０７がリチウムイオン電池などの二次電池である例を説明する。
【００１２】
ＵＳＢコネクタ１０１は、レセプタクル形状のＵＳＢコネクタである。ＵＳＢコネクタ１０１は、ＵＳＢ（Ｕｎｉｖｅｒｓａｌ  Ｓｅｒｉａｌ  Ｂｕｓ）規格に準拠する。ＵＳＢコネクタ１０１を介して、電力供給線１２０、信号線１２１、不図示のＧＮＤ等が接続される。電力供給線１２０はＶＢＵＳであり、信号線１２１はＤ＋、Ｄ−、ＣＣ、高速差動信号などの信号線を含む。電力供給線１２０は、スイッチ１１２、電源回路１０２、スイッチ１０４を介して、電池１０７に接続される。スイッチ１１２、電源回路１０２およびスイッチ１０４は、後述する制御部１１０で制御される。電池１０７の詳細は図２を用いて後述する。
【００１３】
スイッチ１１２は、ＶＢＵＳの電力供給をＯＮまたはＯＦＦするためのスイッチであり、過電圧が印可された場合にスイッチ１１２をＯＦＦにすることで後段の回路に過電圧が印可されないよう制御する。
【００１４】
電源回路１０２は、ＶＢＵＳの電圧を必要な電圧に昇降圧するためのＤＣ／ＤＣコンバータなどで構成される。スイッチ１０４はＶＢＵＳ電圧を昇降圧した電圧を電池１０７および後段の回路部に供給するためのスイッチである。また、電源回路１０２で電圧、電流を制御することで、ＣＣ充電やＣＶ充電、更にはＣＣ充電・ＣＶ充電よりも小さい電流で充電する予備充電などを実現することができる。
【００１５】
検出回路１０３は、ＵＳＢコネクタ１０１にＵＳＢプラグが接続された場合にＶＢＵＳ電圧を検出するための検出回路である。検出回路１０３でＶＢＵＳ印加を検出し、後述する制御部１１０で電源回路１０２やスイッチ１１２および１０４の制御を行う。
【００１６】
接続部１０５は、バッテリーグリップ２００との接点部を有する。検出回路１１１は、バッテリーグリップ２００との接続を検出するための検出回路である。検出回路１１１の検出信号は制御部１１０に接続され、制御部１１０はバッテリーグリップ２００との接続状況を監視する。操作部１０９は、電源スイッチ、レリーズボタン、ダイヤルなどを有する操作部である。電源回路１１３は、電池１０７または電力供給線１２０からの電圧から、撮像装置１００の各構成要素に必要な電圧を生成するための電源回路である。ＤＣ／ＤＣコンバータやレギュレータなどで構成される。
【００１７】
制御部１１０は、充電、放電を制御するための制御部であり、更には充電装置１４０またはバッテリーグリップ２００との通信を行う。充電装置１４０と接続する場合、ＵＳＢコネクタ１０１から電力供給を受けて、電池１０７に対して充電制御を行う。制御部１１０は、検出回路１０３でＶＢＵＳを検出した後、電池１０７の電池電圧をモニタし、電源回路１０２を制御することで充電電圧まで昇降圧制御を実施する。電源判定部１１４は、電池１０７の電圧を監視する電圧監視部と、電池１０７の電池種別を判定する判定部とを有する。
【００１８】
通知部１１５は、制御部１１０での充電状態判定に従って、音声などにより動作状態を通知するための通知手段である。表示部１１６は、ＬＥＤ等を含めた表示部材であり、制御部１１０での充電状態判定に従って充電制御の状態に応じて表示を実施する。ＵＳＢ充電装置１４０はプラグ形状のＵＳＢコネクタ１４３を有し、バッテリーグリップ２００のＵＳＢコネクタ１０１に接続が可能である。ＵＳＢコネクタ１４３を介して、電源、および、信号線、ＧＮＤ等が接続される。
【００１９】
電源接続部１４１は、ＡＣプラグであり、商用電源に接続され、電源回路１４２を介して、ＤＣ電源に変換され、ＵＳＢコネクタ１４３を介して、バッテリーグリップ２００または撮像装置１００に供給される。制御部１４４は、電源回路１４２を制御し、バッテリーグリップ２００または撮像装置１００との通信を制御する制御部である。
【００２０】
次に、図２を参照して、実施形態１における電池１０７の構成例を説明する。電池１０７は、電池セル１１６と電池制御部１１７とを備えている。電池セル１１６は電池制御部１１７に接続されており、電池セル１１６の正極および負極は電池制御部１１７、電力供給パス１１８および接点部１２０を介して、バッテリーグリップ２００または撮像装置１００に電力供給する。また、電池セル１１６は電池制御部１１７に対して電力供給を実施している。なお、電池セル１１６は複数セルあってもよい。
【００２１】
電池制御部１１７は通信機能部と電池残量を監視する残量検出部を有している。そして、電池制御部１１７は、電池セル１１６に関する様々な電池情報を取得して記憶している。
【００２２】
次に、図３のフローチャートを参照して、実施形態１における撮像装置１００の動作例を説明する。ステップＳ１０１では、制御部１１０は検出回路１０３でＵＳＢコネクタ１０１にＵＳＢプラグが接続されたことの検知、操作部１０９の状態、電源判定部１１４による電池１０７の電池種別判定の結果、その他の任意の情報を用いて充電可能か否かを判定する。
【００２３】
ステップＳ１０２では、制御部１１０は電池１０７に対して充電制御を開始する。電池１０７の電圧を取得し、この結果をもとに電源回路１０２で電圧、電流を制御することで、ＣＣ充電やＣＶ充電、更にはＣＣ充電・ＣＶ充電よりも小さい電流で充電する予備充電などの充電制御を実施する。
【００２４】
ステップＳ１０３では、制御部１１０は充電制御を開始したことを確認して表示部１１６に充電中であることをユーザーに報知する表示を行うよう通知する。表示部１１６はＬＥＤであってもその他の任意の表示部材であっても構わない。また、表示される内容は充電中と充電停止の状態が異なる表示内容であれば、任意の内容が可能である。ステップＳ１０４では、制御部１１０は撮像装置１００がユーザー操作をきっかけにＶＢＵＳからの電力供給では電力がまかなえない動作を行うことを検知したかを判定する。
【００２５】
ステップＳ１０５では、制御部１１０はステップＳ１０４で充電中断の判定がされたことを受けて、電源回路１０２やスイッチ１１２および１０４の制御を行うことで電池１０７への充電の停止処理を行う。
【００２６】
ステップＳ１０６では、制御部１１０はステップＳ１０４での中断の要因が、すぐに充電再開可能である要因か否かを判定する。充電再開可能である要因は、例えば撮像装置１００が電源オフ状態である場合に以下の操作を行った場合である。撮像装置１００に着脱可能な不図示の交換レンズの着脱を検知した場合、スマートフォンからの画像閲覧要求があった場合、バッテリーグリップ２００の着脱を検知した場合、センサークリーニングが発動した場合など。これに限らず任意の要因で充電再開可能であるかを判定してもよい。
【００２７】
ステップＳ１０７では、制御部１１０はステップＳ１０６での判定結果に基づき、充電再開可能ではないと判定された場合にのみ表示部１１６に表示中である充電中の表示内容を充電停止状態に切り替える。
【００２８】
ステップＳ１０８では、制御部１１０はステップＳ１０１と同様、制御部１１０は検出回路１０３でＵＳＢコネクタ１０１にＵＳＢプラグが接続されたことの検知、操作部１０９の状態、電源判定部１１４による電池１０７の電池種別判定の結果、その他の任意の情報を用いて充電可能か否かを判定する。ステップＳ１０９では、制御部１１０はステップＳ１０８で充電可能と判定された場合に、ステップＳ１０２と同様に電池１０７に対して充電制御を開始する。
【００２９】
ステップＳ１１０では、制御部１１０はステップＳ１０３と同様に電池１０７に対して表示部１１６に充電中であることをユーザーに報知する表示を行うよう通知する。ステップＳ１１１では、制御部１１０は電池１０７の電池電圧や内部状態を取得し、この情報をもとに充電完了するかの判定を行う。ステップＳ１１２では、制御部１１０はステップＳ１１１での判定結果に基づき、ステップＳ１０５と同様、充電の停止処理を行う。ステップＳ１１３では、制御部１１０はステップＳ１１１での判定結果に基づき、ステップＳ１０７と同様、表示部１１６に表示中である充電中の表示内容を充電停止状態に切り替える。
【００３０】
以上説明したように、実施形態１によれば、電池１個を接続可能な撮像装置１００に接続された電池へのＵＳＢ経由の充電制御において、内部的に充電が中断されて再開される場合に表示のちらつきが発生せず、ユーザーの混乱を防ぐことが可能となる。これにより、ユーザーが意図していない状況で電池の充電が自動的に再開される場合の表示制御または警告制御が改善される。
【００３１】
［実施形態２］
次に、図４を参照して、実施形態２におけるバッテリーグリップ２００および充電装置１４０の構成例を説明する。バッテリーグリップ２００は、撮像装置１００に接続可能な電子機器（またはアクセサリ装置）である。なお、実施形態２では、電池２０７および２０８がリチウムイオン電池などの二次電池である例を説明する。
【００３２】
ＵＳＢコネクタ２０１は、レセプタクル形状のＵＳＢコネクタである。ＵＳＢコネクタ２０１は、ＵＳＢ（Ｕｎｉｖｅｒｓａｌ  Ｓｅｒｉａｌ  Ｂｕｓ）規格に準拠する。ＵＳＢコネクタ２０１を介して、電力供給線２２０、信号線２２１、不図示のＧＮＤ等が接続される。電力供給線２２０はＶＢＵＳであり、信号線２２１はＤ＋、Ｄ−、ＣＣ、高速差動信号などの信号線を含む。電力供給線２２０は、スイッチ２１２、電源回路２０２、スイッチ２０４、切り替え回路２０６を介して、電池２０７または電池２０８に接続される。スイッチ２１２、電源回路２０２、スイッチ２０４および切り替え回路２０６は、後述する制御部２１０で制御される。なお、電池２０７および２０８の構成は、電池１０７の構成と同様であるので、それらの説明を省略する。
【００３３】
スイッチ２１２は、ＶＢＵＳの電力供給をＯＮまたはＯＦＦするためのスイッチであり、過電圧が印可された場合にスイッチ２１２をＯＦＦにすることで後段の回路に過電圧が印可されないよう制御する。
【００３４】
電源回路２０２は、ＶＢＵＳの電圧を必要な電圧に昇降圧するためのＤＣ／ＤＣコンバータなどで構成される。スイッチ２０４はＶＢＵＳ電圧を昇降圧した電圧を電池側および後段の回路部に供給するためのスイッチである。切り替え回路２０６は、電池２０７および電池２０８のどちらに充電装置１４０を接続するかを切り替えるための回路である。また、電源回路２０２で電圧、電流を制御することで、ＣＣ充電やＣＶ充電、更にはＣＣ充電・ＣＶ充電よりも小さい電流で充電する予備充電などを実現することができる。
【００３５】
検出回路２０３は、ＵＳＢコネクタ２０１にＵＳＢプラグが接続された場合にＶＢＵＳ電圧を検出するための検出回路である。検出回路２０３でＶＢＵＳ印加を検出し、後述する制御部２１０で電源回路２０２やスイッチ２１２および２０４の制御を行う。接続部２０５は撮像装置１００との接点部を有する。検出回路２１１は撮像装置１００との接続を検出するための検出回路である。検出回路２１１の検出信号は制御部２１０に接続され、制御部２１０は撮像装置１００との接続状況を監視する。
【００３６】
操作部２０９は、レリーズボタン、ダイヤルなどを有する操作部である。電源回路２１３は、電池２０７、電池２０８または電力供給線２２０からの電圧から、バッテリーグリップ２００の各構成要素に必要な電圧を生成するための電源回路である。ＤＣ／ＤＣコンバータやレギュレータなどで構成される。
【００３７】
制御部２１０は、充電、放電を制御するための制御部であり、更には充電装置１４０または撮像装置１００との通信を行う。充電装置１４０と接続する場合、ＵＳＢコネクタ２０１から電力供給を受けて、電池２０７または電池２０８に対して充電制御を行う。また、接続部２０５を介して、撮像装置１００を接続する場合、電池２０７または電池２０８からの電力を撮像装置１００に放電することができる。制御部２１０は、検出回路２０３でＶＢＵＳを検出した後、切り替え回路２０６で電池２０７または電池２０８を充電対象電池として選択する。そして、充電対象電池の電池電圧をモニタし、電源回路２０２を制御することで充電電圧まで昇降圧制御を実施する。
【００３８】
電源判定部２１４は、電池２０７または電池２０８の電圧を監視する電圧監視部と、電池２０７または電池２０８の電池種別を判定する判定部とを有する。通知部２１５は、制御部２１０での充電状態判定に従って、音声などにより動作状態を通知するための通知手段である。表示部２１６は、ＬＥＤ等を含めた表示部材であり、制御部２１０での充電状態判定に従って充電制御の状態に応じて表示を実施する。
【００３９】
ＵＳＢ充電装置１４０はプラグ形状のＵＳＢコネクタ１４３を有し、バッテリーグリップ２００のＵＳＢコネクタ１０１に接続が可能である。ＵＳＢコネクタ１４３を介して、電源、および、信号線、ＧＮＤ等が接続される。電源接続部１４１は、ＡＣプラグであり、商用電源に接続され、電源回路１４２を介して、ＤＣ電源に変換され、ＵＳＢコネクタ１４３を介して、バッテリーグリップ２００または撮像装置１００に供給される。制御部１４４は、電源回路１４２を制御し、バッテリーグリップ２００または撮像装置１００との通信を制御する制御部である。
【００４０】
次に、図５のフローチャートを参照して、実施形態２におけるバッテリーグリップ２００の動作例を説明する。ステップＳ２００では、制御部２１０はバッテリーグリップ２００に接続可能な複数の電池２０７および２０８に対する電源判定部１１４による電池種別判定の結果、接続判定の結果をもとに、切り替え回路１０６を切り替えて充電対象電池を１つ選択する。
【００４１】
ステップＳ２０１では、制御部２１０は検出回路２０３でＵＳＢコネクタ２０１にＵＳＢプラグが接続されたことの検知、その他の任意の情報を用いて充電可能か否かを判定する。ステップＳ２０２では、制御部２１０は選択された電池２０７もしくは電池２０８のいずれかに対して充電制御を開始する。選択された電池２０７もしくは電池２０８の電圧を取得し、この結果をもとに電源回路２０２で電圧、電流を制御することで、ＣＣ充電やＣＶ充電、更にはＣＣ充電・ＣＶ充電よりも小さい電流で充電する予備充電などの充電制御を実施する。
【００４２】
ステップＳ２０３では、制御部２１０は充電制御を開始したことを確認して表示部２１６に充電中であることをユーザーに報知する表示を行うよう通知する。表示部２１６はＬＥＤであってもその他の任意の表示部材であっても構わない。また、表示される内容は充電中と充電停止の状態が異なる表示内容であれば、任意の内容が可能である。
【００４３】
ステップＳ２０４では、制御部２１０はバッテリーグリップ２００がユーザー操作をきっかけにＶＢＵＳからの電力供給では電力がまかなえない、もしくは充電制御を停止すべき動作を行うことを検知したかを判定する。ステップＳ２０５では、制御部２１０はステップＳ２０４で充電中断の判定がされたことを受けて、電源回路２０２やスイッチ２１２および２０４の制御を行うことで、選択された電池２０７もしくは電池２０８への充電の停止処理を行う。
【００４４】
ステップＳ２０６では、制御部２１０はステップＳ２０４での中断の要因が、すぐに充電再開可能である要因か否かを判定する。充電再開可能である要因は、例えばバッテリーグリップ２００に撮像装置１００の着脱を検知した場合である。これに限らず任意の要因で充電再開可能であるかを判定してもよい。ステップＳ２０７では、制御部２１０はステップＳ２０６での判定結果に基づき、充電再開可能ではないと判定された場合にのみ表示部２１６に表示中である充電中の表示内容を充電停止状態に切り替える。
【００４５】
ステップＳ２０８では、制御部２１０はステップＳ２０１と同様、制御部２１０は検出回路２０３でＵＳＢコネクタ２０１にＵＳＢプラグが接続されたことの検知、電源判定部２１４による選択された電池２０７もしくは電池２０８の電池種別判定の結果、その他の任意の情報を用いて充電可能か否かを判定する。ステップＳ２０９では、制御部２１０はステップＳ２０８で充電可能と判定された場合に、ステップＳ２０２と同様に電池２０７に対して充電制御を開始する。
【００４６】
ステップＳ２１０では、制御部２１０はステップＳ２０３と同様に選択された電池２０７もしくは電池２０８に対して表示部２１６に充電中であることをユーザーに報知する表示を行うよう通知する。ステップＳ２１１では、制御部２１０は選択された電池２０７もしくは電池２０８の電池電圧や内部状態を取得し、この情報をもとに充電完了するかの判定を行う。
【００４７】
ステップＳ２１２では、制御部２１０はステップＳ２１１での判定結果に基づき、ステップＳ２０５と同様、充電の停止処理を行う。ステップＳ２１３では、制御部２１０はステップＳ２１１での判定結果に基づき、ステップＳ２０７と同様、表示部２１６に表示中である充電中の表示内容を充電停止状態に切り替える。
【００４８】
以上説明したように、実施形態２によれば、電池複数個を接続可能なバッテリーグリップ２００に接続された電池へのＵＳＢ経由の充電制御において、内部的に充電が中断されて再開される場合に表示のちらつきが発生せず、ユーザーの混乱を防ぐことが可能となる。これにより、ユーザーが意図していない状況で電池の充電が自動的に再開される場合の表示制御または警告制御が改善される。
【００４９】
なお、本発明の実施形態は上述の実施形態１または２に限定されるものではない。発明の要旨を逸脱しない範囲で変更または修正された上述の実施形態１または２も本発明の実施形態に含まれる。
【符号の説明】
【００５０】
１００  撮像装置
２００  バッテリーグリップ
１４０  充電装置
１０５  バッテリーグリップ接続部
１０１  ＵＳＢコネクタ
１０７  電池
２０７  電池
２０８  電池
１１０  制御部
１１４  電源判定部
【図１】
2019193177.tif 000003
【図２】
2019193177.tif 000004
【図３】
2019193177.tif 000005
【図４】
2019193177.tif 000006
【図５】
2019193177.tif 000007